(57)【要約】      （修正有）【課題】ハードケースファスナーボックス底台及びキャスターとケースベルトを提供する。【解決手段】ハードケースファスナーボックス底台及びキャスターとケースベルトは、主として、ハードケースファスナーボックス本体１０、複数のシークレットキャスターユニット１１、伸縮ケースベルトユニット、補助ホイールセット１５とにより構成する。シークレットキャスターユニット１１が作用状態にある時には、キャスターはキャスター収容設置凹槽１０１内に隠れ、衝突などによりキャスターが損壊することを防止する。ケースベルトは、ハードケースファスナーボックス本体１０底部の一端から簡単に引き出すことができ、ハードケースファスナーボックス本体１０を一回りした後、伸縮ケースベルトユニットの反対端に固定する。【選択図】図１
0003156021.tif 000002
【実用新案登録請求の範囲】
【請求項１】
ハードケースファスナーボックス本体、複数のシークレットキャスターユニット、伸縮ケースベルトユニットを備え、
前記ハードケースファスナーボックス本体は、一体成型の設計で、複数のキャスター収容設置凹槽、ケースベルト収容設置凹槽、少なくとも１個の補助ホイール凹槽を備え、
前記キャスター収容設置凹槽と前記ケースベルト収容設置凹槽は、それぞれ前記ハードケースファスナーボックス本体の本体底部に設置し、
補助ホイールセットは、前記補助ホイール凹槽内に設置し、それは前記本体底部において、前記シークレットキャスターユニットと本体背面部との間に位置し、前記本体背面部において突出し、
前記シークレットキャスターユニットは、前記キャスター収容設置凹槽に固定し、
前記伸縮ケースベルトユニットは、前記ケースベルト収容設置凹槽に固定し、
前記シークレットキャスターユニットが、隠れていない時には、キャスターは前記本体底部において露出し、
前記シークレットキャスターユニットが、隠れている時には、前記キャスターは、前記キャスター収容設置凹槽内部に隠れ、
前記ハードケースファスナーボックス本体はさらに、ハードケース蓋と拡充ユニットを備え、
前記拡充ユニットは、前記ハードケースファスナーボックス本体と前記ハードケース蓋との間に連接し、
前記拡充ユニットは、拡充ファスナーと拡充部位を備えることを特徴とするハードケースファスナーボックス底台及びキャスターとケースベルト。
【請求項２】
前記シークレットキャスターユニットは、外カバー、定位栓、定位栓スライド台、スライド軸、定位栓伸縮プレッシャーバー、上バネ、下バネ、ホイールセット、キャスターを備え、
前記外カバーは、第一定位栓固定孔と第二定位栓固定孔を備え、
前記定位栓伸縮プレッシャーバーは、相互に連結するスライド軸と定位栓スライド台内部に設置し、
前記定位栓伸縮プレッシャーバーの下部と前記スライド軸との間には、下バネを設置し、上部と前記定位栓スライド台との間には、上バネを設置し、
前記定位栓は、前記定位栓スライド台の片側に設置し、前記第一定位栓固定孔及び前記第二定位栓固定孔とは、同一側で、
上記した部品はすべて、前記外カバーの内部に含まれ、
前記スライド軸下方には、前記キャスターを設置するホイールセットを連結し、
前記定位栓伸縮プレッシャーバーに圧力を加えると、前記定位栓スライド台は上方に向かい、前記定位栓を連動して内部へと収縮させ、すなわち、前記スライド軸全体は、上下移動が可能となり、
前記定位栓が、前記第一定位栓固定孔、或いは前記第二定位栓固定孔位置まで到達後に、前記定位栓伸縮プレッシャーバーへの圧力を解除すると、前記上バネと前記下バネとは、前記シークレットキャスターユニットにもとの状態を回復させることを特徴とする請求項１に記載のハードケースファスナーボックス底台及びキャスターとケースベルト。
【請求項３】
前記定位栓が、前記第一定位固定孔に固定されると、前記キャスターは、前記本体底部において露出し、前記シークレットキャスターユニットの隠れていない状態となることを特徴とする請求項２に記載のハードケースファスナーボックス底台及びキャスターとケースベルト。
【請求項４】
前記定位栓が、前記第二定位固定孔に固定されると、前記キャスターは、前記キャスター収容設置凹槽内部のシークレットキャスターユニットに隠れた状態となることを特徴とする請求項２に記載のハードケースファスナーボックス底台及びキャスターとケースベルト。
【請求項５】
前記伸縮ケースベルトユニットは、外箱、巻バネ、ケースベルト、第一固定部品、第二固定部品、調整部品、外蓋を備え、
前記外箱内部には、巻バネとケースベルトを設置し、前記巻バネの一端は、前記外箱内部の特定の位置に固定し、相互に連接するケースベルトの反対端は、前記第一固定部品に連結し、前記ケースベルト上には調整部品を設置し、
前記第二固定部品と前記外箱とは、前記外箱の外部にそれぞれ固定され、前記ケースベルトは、前記外箱内部から、任意の長さだけ引き出した後、前記巻バネは、前記ケースベルトの長さを固定し、前記ケースベルトは、前記ハードケースファスナーボックス本体の本体上部を巡り、前記本体底部を巡り、前記第一固定部品を前記第二固定部品に結合し、これにより、前記ハードケースファスナーボックス本体が開口してしまう状況の発生を防止し、
前記第一固定部品と前記第二固定部品との間の結合を解除後、前記ケースベルトを特定の強度まで軽く引くと、前記巻バネは、前記ケースベルトを前記外箱内部へと巻き取り、
前記外蓋により蓋をすると、前記伸縮ケースベルトユニット全体を隠すことができ、前記第一固定部品と前記第二固定部品を保護することもできることを特徴とする請求項１に記載のハードケースファスナーボックス底台及びキャスターとケースベルト。
【請求項６】
前記ハードケースファスナーボックス本体と前記ハードケース蓋の材質は、ポリプロピレン(Polypropylene、PP)であることを特徴とする請求項１に記載のハードケースファスナーボックス底台及びキャスターとケースベルト。
【請求項７】
前記ハードケースファスナーボックス本体と前記ハードケース蓋の材質は、ポリカーボネート(Polycarbonetes、PC)であることを特徴とする請求項１に記載のハードケースファスナーボックス底台及びキャスターとケースベルト。
【請求項８】
前記ハードケースファスナーボックス本体と前記ハードケース蓋はさらに、少なくとも１個の強化部品を備え、
前記強化部品は、バネであることを特徴とする請求項１に記載のハードケースファスナーボックス底台及びキャスターとケースベルト。
【請求項９】
前記強化部品は、前記ハードケースファスナーボックス本体と前記拡充部品との間に設置することを特徴とする請求項８に記載のハードケースファスナーボックス底台及びキャスターとケースベルト。
【請求項１０】
前記強化部品は、前記ハードケース蓋の開口部ファスナーの両側に設置することを特徴とする請求項８に記載のハードケースファスナーボックス底台及びキャスターとケースベルト。
【考案の詳細な説明】
【技術分野】
【０００１】
本考案はハードケースファスナーボックスに関し、特にハードケースファスナーボックス底台及びキャスターとケースベルトに関する。
【背景技術】
【０００２】
旅程が長くても、短くても、スーツケースは旅にはなくてはならないものである。
自身の旅程の必要に合った様々なサイズのスーツケースを簡単に選択でき、しかも、非常に実用的で、移動に便利であるため、スーツケースは旅人に広く支持されている。
スーツケースと地面との接触面には、ローリング可能なキャスターを設置するため、スーツケースは、地面上で簡単に移動させることができる。
よって、スーツケース内の荷物が積載可能な重量であれば、使用者は、簡単に地面において、スーツケースを引き、或いは押す方式で移動させることができ、スーツケースの重量を一切負担する必要がない。
スーツケースは、旅行の過程において、数回の託送手続きを経ることがあり、託送、運搬時に、力いっぱい投げられ、或いは不注意で落とされ、キャスターが損壊することがある。
或いは、スーツケースに傷がつき、ひどい場合には、スーツケースの開口部が開いてしまうなどの状況も発生し得る。
そのため、別にケースベルトを利用してスーツケースの外周を縛り、スーツケースが開いてしまう事態の発生を回避するが、これは非常に不便で、しかも、このベルトは付属していないため、遺失しやすい。
【０００３】
最近では、旅行中の買い物で増えた荷物に対応するため、いわゆる拡大可能なスーツケースも増えている。
該構造のスーツケースは、空間を拡大し、より多くの物品を入れることができるため、使用において非常に便利である。
これら拡大可能スーツケースは、一般の拡大可能スーツケースと、ハードケース式拡大可能スーツケースに分けられる。
内、ハードケース式拡大可能スーツケースにおいて、そのキャスターは２個が、本体の底部にそれぞれ設置されており、さらにファスナーなどで、各本体を接続し、１個の拡大可能スーツケースを形成している。
その拡大可能部分にもファスナーが使われ、ファスナーを開きさえすれば、簡単にスーツケースの内部空間を拡大することができる。
しかし、従来の拡大可能スーツケースにおいて、そのキャスターはそれぞれが各本体の底部に設置されているため、移動上の不便を招き易く、重いものを収納すると、移動上の困難を増大させてしまう。
本考案は、従来の拡大可能ハードケースの上記した欠点に鑑みてなされたものである。
【考案の概要】
【考案が解決しようとする課題】
【０００４】
本考案が解決しようとする第一の課題は、キャスターの耐用性とベルトの利便性を強化したハードケースファスナーボックス底台及びキャスターとケースベルトを提供することである。
【０００５】
本考案が解決しようとする第二の課題は、運搬或いは落下による、ハードケースファスナーボックスのキャスターの損壊を防ぎ、耐用性を拡大するハードケースファスナーボックス底台を提供することである。
【０００６】
本考案が解決しようとする第三の課題は、ケースベルトをハードケースファスナーボックスに結合させ、使用上の利便性を強化するケースベルトを提供することである。
【０００７】
本考案が解決しようとする第四の課題は、ハードケースファスナーボックスの使用の利便性を拡大させ、実用性を増大させるハードケースファスナーボックス底台及びキャスターとケースベルトを提供することである。
【課題を解決するための手段】
【０００８】
上記課題を解決するため、本考案は下記のハードケースファスナーボックス底台及びキャスターとケースベルトを提供する。
ハードケースファスナーボックス底台及びキャスターとケースベルトは、ハードケースファスナーボックス底台及びキャスターとケースベルトは、ハードケースファスナーボックス本体、複数のシークレットキャスターユニット、伸縮ケースベルトユニット、補助ホイールセットを備え、
該シークレットキャスターユニット、該伸縮ケースベルトユニットは、それぞれ該ハードケースファスナーボックス本体底部のキャスター収容設置凹槽とケースベルト収容設置凹槽にそれぞれ設置し、
該シークレットキャスターユニットの未作用状態時には、キャスターは該ハードケースファスナーボックス本体底部の平面に突出し、該キャスターと地面との作用により、ハードケースファスナーボックスを移動させられ、
該シークレットキャスターユニットが作用状態にある時には、該キャスターは該キャスター収容設置凹槽内に隠れるため、従来のキャスターが露出する構造で、衝突などによりキャスターが損壊する状況の発生を防止可能で、
該伸縮ケースベルトユニットのケースベルトは、該ハードケースファスナーボックス本体底部の一端から簡単に引き出すことができ、該ハードケースファスナーボックス本体を一回りした後、該伸縮ケースベルトユニットの反対端に固定し、該ケースベルトで該ハードケースファスナーボックス本体を簡単に梱包でき、ハードケースファスナーボックスの開口部が開いてしまう状況の発生を回避できる。
【考案の効果】
【０００９】
本考案ハードケースファスナーボックス底台及びキャスターとケースベルトは、キャスターの耐用性とベルトの利便性を強化し、運搬或いは落下による、ハードケースファスナーボックスのキャスターの損壊を防ぎ、耐用性を拡大することができ、ケースベルトをハードケースファスナーボックスに結合させ、使用上の利便性を強化することができる。
【図面の簡単な説明】
【００１０】
【図１】本考案ハードケースファスナーボックスの模式図である。
【図２】本考案シークレットキャスターユニットの部品の模式図である。
【図３】本考案シークレットキャスターユニットの未作用状態を示す模式図である。
【図４】本考案シークレットキャスターユニットの作用状態を示す模式図である。
【図５】本考案伸縮ケースベルトユニットの部品の模式図である。
【図６】本考案伸縮ケースベルトユニットとハードケースファスナーボックスの位置を示す模式図である。
【図７】本考案伸縮ケースベルトユニットが既に作用した状態を示す模式図である。
【図８】本考案補助ホイールセットを階段に応用する状態を示す模式図である。
【図９】本考案ハードケースファスナーボックスの側面模式図である。
【図１０】本考案ハードケースファスナーボックス拡充後の模式図である。
【図１１】本考案強化部品の模式図である。
【考案を実施するための形態】
【００１１】
以下に図面を参照しながら本考案を実施するための最良の形態について詳細に説明する。
【００１２】
本考案ハードケースファスナーボックスの模式図である図１、本考案シークレットキャスターユニットの部品の模式図である図２に示すように、ハードケースファスナーボックスは、ハードケースファスナーボックス本体１０、複数のシークレットキャスターユニット１１、伸縮ケースベルトユニット１２(図示なし)、ハードケース蓋１３、拡充ユニット１４を備える。
ハードケースファスナーボックス本体１０は、キャスター収容設置凹槽１０１、ケースベルト収容設置凹槽１０２、少なくとも１個の補助ホイール凹槽１０６を備え、それぞれハードケースファスナーボックス本体１０の本体底部１０３に設置する。
補助ホイールセット１５は、補助ホイール凹槽１０６内に設置し、それは本体底部１０３において、シークレットキャスターユニット１１と本体背面部１０５との間に位置し、本体背面部１０５において突出する。
拡充ユニット１４は、ハードケースファスナーボックス本体１０とハードケース蓋１３との間に連接する。
シークレットキャスターユニット１１と伸縮ケースベルトユニット１２(図示なし)とは、キャスター収容設置凹槽１０１とケースベルト収容設置凹槽１０２にそれぞれ固定する。
【００１３】
ハードケースファスナーボックス本体１０は、一体成型の設計で、通常は射出成型の方式を採用して製造する。
ハードケースファスナーボックス本体１０とハードケース蓋１３の材質は、はアクリロニトリル(Acrylonitrile)、ブタジエン (Butadiene)、スチレン (Styrene)の共重合合成樹脂(ABS)、ポリエチレン(Polyethylene、PE)、ポリプロピレン(Polypropylene、PP)、ポリカーボネート(Polycarbonetes、PC)である。
【００１４】
図２に示すように、シークレットキャスターユニット１１は、外カバー１１０、定位栓１１１、定位栓スライド台１１２、スライド軸１１３、定位栓伸縮プレッシャーバー１１４、上バネ１１５、下バネ１１６、ホイールセット１１７、キャスター１１８を備える。
外カバー１１０は、第一定位栓固定孔１１０１と第二定位栓固定孔１１０２を備える。
【００１５】
定位栓伸縮プレッシャーバー１１４は、相互に連結するスライド軸１１３と定位栓スライド台１１２内部に設置する。
定位栓伸縮プレッシャーバー１１４の下部とスライド軸１１３との間には、下バネ１１６を設置し、上部と定位栓スライド台１１２との間には、上バネ１１５を設置する。
定位栓１１１は、定位栓スライド台１１２の片側に設置し、第一定位栓固定孔１１０１及び第二定位栓固定孔１１０２とは、同一側である。
上記した部品はすべて、外カバー１１０の内部に含まれる。
スライド軸１１３下方には、キャスター１１８を設置するホイールセット１１７を連結する。
【００１６】
定位栓伸縮プレッシャーバー１１４に圧力を加えると、定位栓スライド台１１２は上方に向かい定位栓１１１を連動して内部へと収縮させ、すなわち、スライド軸１１３全体は、上下移動が可能となる。
定位栓１１１が、第一定位栓固定孔１１０１、或いは第二定位栓固定孔１１０２位置まで到達後に、定位栓伸縮プレッシャーバー１１４への圧力を解除すると、上バネ１１５と下バネ１１６とは、シークレットキャスターユニット１１にもとの状態を回復させる。
定位栓１１１が、第一定位栓固定孔１１０１に固定されると、キャスター１１８は、本体底部１０３(図示なし)において露出する。
定位栓１１１が、第二定位栓固定孔１１０２に固定されると、キャスター１１８は、本体底部１０３(図示なし)において隠れる。
【００１７】
本考案シークレットキャスターユニットの未作用状態を示す模式図である図３に示すように、シークレットキャスターユニット１１は、キャスター収容設置凹槽１０１に固定され、定位栓１１を第一定位栓固定孔１１０１に固定すると、キャスター１１８は、ハードケースファスナーボックス本体１０の本体底部１０３において露出する。
この時、キャスター１１８を地面において作動させることで、ハードケースファスナーボックス本体１０を移動させることができる。
【００１８】
本考案シークレットキャスターユニットの作用状態を示す模式図である図４に示すように、定位栓伸縮プレッシャーバー１１４に圧力を加えると、定位栓１１１が第一定位栓固定孔１１０１から、第二定位栓固定孔１１０２位置へと移動することで、定位栓伸縮プレッシャーバー１１４への圧力を解除し、上バネ１１５と下バネ１１６とは、シークレットキャスターユニット１１をもとの状態に回復させる。
この時、キャスター１１８は、キャスター収容設置凹槽１０１内に隠れるため、本体底部１０３は、平坦な状態を呈する。
【００１９】
本考案伸縮ケースベルトユニットの部品の模式図である図５に示すように、伸縮ケースベルトユニット１２は、外箱１２１、巻バネ１２２、ケースベルト１２３、第一固定部品１２４、第二固定部品１２５、調整部品１２６、外蓋１２７を備える。
外箱１２１内部には、巻バネ１２２とケースベルト１２３を設置する。
外蓋１２７は、外箱１２１上に固定し外蓋１２７内の部品を隠すことができるため、部品が露出することはない。
巻バネ１２２の一端は、外箱１２１の特定の位置に固定し、その反対端は、ケースベルト１２３の一端に連接する。
ケースベルト１２３の一端は、第一固定部品１２４に連接する。
調整部品１２６は、ケースベルト１２３上の任意の位置に設置し、ケースベルト１２３の長さを調整することができる。
外箱１２１内部から、ケースベルト１２３を任意の長さだけ引き出した後、巻バネ１２２は、ケースベルト１２３の長さを固定する。
ケースベルト１２３を特定の強度で、再度軽く引くと、巻バネ１２２は直ちに、ケースベルト１２３を外箱１２１内部へと巻き取る。
外蓋１２７により蓋をすると、伸縮ケースベルトユニット１２全体を隠すことができ、第一固定部品１２４と第二固定部品１２５を保護することもできる。
【００２０】
本考案伸縮ケースベルトユニットとハードケースファスナーボックスの位置を示す模式図である図６に示すように、伸縮ケースベルトユニット１２は、ハードケースファスナーボックス本体１０の本体底部１０３のケースベルト収容設置凹槽１０２内に固定される。
第二固定部品１２５は、外箱１２１の特定の位置に固定され、その設置方向は、第一固定部品１２４とは、反対方向である。
第一固定部品１２４と第二固定部品１２５との間の結合を解除後、ケースベルト１２３を特定の強度まで軽く引くと、巻バネ１２２は、ケースベルト１２３を外箱１２１内部へと巻き取る。
【００２１】
本考案伸縮ケースベルトユニットが既に作用した状態を示す模式図である図７に示すように、第一固定部品１２４を引いて動かすと、ケースベルト１２３を同時に連動し、ケースベルト１２３は、第一固定部品１２４が固定する同方位軸から抜き取られた後、ハードケースファスナーボックス本体１０の本体上部１０４を巡り、さらにハードケース蓋１３を巡り、第一固定部品１２４を第二固定部品１２５に結合する。
これにより、ケースベルト１２３は、ハードケースファスナーボックス本体１０とハードケース蓋１３をしっかりと梱包し、こうして、ハードケースファスナーボックス本体１０とハードケース蓋１３が離れ開口してしまう状況の発生を防止することができる。
【００２２】
本考案補助ホイールセットを階段に応用する状態を示す模式図である図８に示すように、使用者が、ハードケースファスナーボックス本体１０を階段８０で使用する時には、本体底部１０３に設置する補助ホイールセット１５を利用する。
補助ホイールセット１５は、シークレットキャスターユニット１１と本体背面部１０５との間に位置し、本体背面部１０５において露出する。
これにより、補助ホイールセット１５は、階段８０の辺縁に沿ってスライド可能で、こうして使用者は、省力方式でハードケースファスナーボックス本体１０を移動させることができる。
同時に、補助ホイールセット１５は、ハードケースファスナーボックス本体１０と階段８０とが、摩擦により摩損し、或いは損壊することを防止することもできる。
【００２３】
図９は、本考案ハードケースファスナーボックスの側面模式図で、図１０は、本考案ハードケースファスナーボックス拡充後の模式図である。
図９に示すように、ハードケース蓋１３上部は、ハードケースファスナーボックス本体１０に傾くため、ハードケースファスナーボックス本体１０の外観は上部が小さく、下部が大きい形状を呈し、９０度角を備える台形の外観に相似する。
【００２４】
図１０に示すように、拡充ユニット１４を広げると、拡充ファスナー１４１は、拡充部位１４２の両側に位置し、ハードケースファスナーボックス本体１０の外観形状は変化する。
拡充部位１４２は、ハードケースファスナーボックス本体１０上部の幅を拡大させるため、拡充後のハードケースファスナーボックス本体１０の外観は方形に近くなる。
【００２５】
本考案強化部品の模式図である図１１に示すように、ハードケースファスナーボックス本体１０内の物品を保護し、耐用性を増強するため、開口部ファスナー１２０１の両側には、強化部品１２０２をそれぞれ設置し、ハードケースファスナーボックス本体１０と拡充ファスナー１４１との間にも、強化部品１２０２を設置する。
強化部品１２０２は、弾性と圧力に対する耐性を備えるバネを採用可能である。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は実用新案の要件である新規性を備え、従来の同類製品に比べ十分な進歩を有し、実用性が高く、社会のニーズに合致しており、産業上の利用価値は非常に大きい。
【符号の説明】
【００２８】
１０  ハードケースファスナーボックス本体
１０１  キャスター収容設置凹槽
１０２  ケースベルト収容設置凹槽
１０３  本体底部
１０４  本体上部
１０５  本体背面部
１０６  補助ホイール凹槽
１１  シークレットキャスターユニット
１１０  外カバー
１１０１  第一定位栓固定孔
１１０２  第二定位栓固定孔
１１１  定位栓
１１２  定位栓スライド台
１１３  スライド軸
１１４  定位栓伸縮プレッシャーバー
１１５  上バネ
１１６  下バネ
１１７  ホイールセット
１１８  キャスター
１２  伸縮ケースベルトユニット
１２１  外箱
１２２  巻バネ
１２３  ケースベルト
１２４  第一固定部品
１２５  第二固定部品
１２６  調整部品
１２７  外蓋
１３  ハードケース蓋
１４  拡充ユニット
１４１  拡充ファスナー
１４２  拡充部位
１５  補助ホイールセット
８０  階段
１２０１  開口部ファスナー
１２０２  強化部品
【図１】
0003156021.tif 000003
【図２】
0003156021.tif 000004
【図３】
0003156021.tif 000005
【図４】
0003156021.tif 000006
【図５】
0003156021.tif 000007
【図６】
0003156021.tif 000008
【図７】
0003156021.tif 000009
【図８】
0003156021.tif 000010
【図９】
0003156021.tif 000011
【図１０】
0003156021.tif 000012
【図１１】
0003156021.tif 000013